(57)【要約】  本発明は、いくつかのメディア・コンテンツ・アイテム（１００）を表すコンテンツ・リスト（CDS）を備えるデータ構造（２００）を備えるコンテンツ・リストを供給する方法及び装置に関する。メディア・コンテンツ・アイテム（１００）は、メディア・コンテンツ・アイテム（１００）を保護する特定のディジタル権利管理システム（DRM）（３００、４００）にメディア・コンテンツ・アイテム（１００）が属する場合に第１の表現（DRM  id）及び第２の表現（Dom.ID）によって2度表される。第１の表現（DRM  id）は、メディア・コンテンツ・アイテム（１００）を保護するタイプのディジタル権利管理システム（DRM）（３００、４００）の識別子を備え、第２の表現（Dom.ID）は、第１の表現、及びメディア・コンテンツ・アイテム（１００）が属する特定のディジタル権利管理システム（DRM）（３００、４００）の識別及び／状態に関する更なる情報を備える。これによって、DRMコンテンツの状態又は状況によってコンテンツ・アイテムに関する特定の権利が変わってくることがあり得る場合の特定のコンテンツ・アイテムへのアクセスの処理が得られる。これに関する情報を第２の（又は更なる）表現で実施することができるからである。更に、アウェア制御点及びアンアウェア制御点によってできる限り最適に処理することが可能な（少なくとも２つの表現を備えた）単一の実施形態を提供することも可能である。
2008503825.tif 000002
【特許請求の範囲】
【請求項１】
データ構造を備えたコンテンツ・リストを供給する装置であって、
いくつかのメディア・コンテンツ・アイテムを表すコンテンツ・リストを備えており、
メディア・コンテンツ・アイテムは、前記メディア・コンテンツ・アイテムを保護する特定のディジタル権利管理システム（DRM）に前記メディア・コンテンツ・アイテムが属する場合に第１の表現及び第２の表現によって2度表され、
前記第１の表現は、前記メディア・コンテンツ・アイテムを保護するタイプのディジタル権利管理システム（DRM）の識別子を備え、
前記第２の表現は、前記第１の表現、及び識別情報に関する更なる情報、並びに／又は前記メディア・コンテンツ・アイテムが属する前記特定のディジタル権利管理システム（DRM）の状態を備えることを特徴とする装置。
【請求項２】
請求項１記載の装置であって、前記特定のディジタル権利管理システム（DRM）は認可されたドメイン（AD）であり、前記更なる情報は、前記メディア・コンテンツ・アイテムが属している前記特定のディジタル権利管理システム（DRM）を一意に識別する識別子を備えることを特徴とする装置。
【請求項３】
請求項１乃至２に記載の装置であって、前記更なる情報は、前記特定のコンテンツ・アイテムの所有者を示す個人識別子、及び／又は前記メディア・コンテンツ・アイテムをレンダリングするのに用いるレンダリング装置の装置特性を備えることを特徴とする装置。
【請求項４】
請求項１乃至３に記載の装置であって、前記装置が、ユニバーサル・プラグ・アンド・プレイ（UPnP）技術仕様によるメディア・サーバ装置であることを特徴とする装置。
【請求項５】
請求項１乃至３に記載の装置であって、前記データ構造が、ユニバーサル・プラグ・アンド・プレイ（UPnP）技術仕様によるコンテンツ・ディレクトリ・サービス（CDS）によって実施されることを特徴とする装置。
【請求項６】
請求項５記載の装置であって、前記第１の表現及び前記第２の表現は、
同じコンテンツ・ディレクトリ・サービス・オブジェクト又は
２つの別々のディレクトリ・サービス・オブジェクトにおいて実施されることを特徴とする装置。
【請求項７】
データ構造を備えたコンテンツ・リストを供給する方法であって、
いくつかのメディア・コンテンツ・アイテムを表すコンテンツ・リストを備えており、
メディア・コンテンツ・アイテムを表す工程を備える前記方法は、前記メディア・コンテンツ・アイテムを保護する特定のディジタル権利管理システム（DRM）に前記メディア・コンテンツ・アイテムが属する場合に第１の表現及び第２の表現によって2度表され、前記第１の表現は、前記メディア・コンテンツ・アイテムを保護するタイプのディジタル権利管理システム（DRM）の識別子を備え、前記第２の表現は、前記第１の表現、及び識別情報に関する更なる情報、並びに／又は前記メディア・コンテンツ・アイテムが属する前記特定のディジタル権利管理システム（DRM）の状態を備えることを特徴とする方法。
【請求項８】
請求項7記載の方法であって、前記特定のディジタル権利管理システム（DRM）は認可されたドメイン（AD）であり、前記更なる情報は、前記メディア・コンテンツ・アイテムが属している前記特定のディジタル権利管理システム（DRM）を一意に識別する識別子を備えることを特徴とする方法。
【請求項９】
請求項7乃至8に記載の方法であって、前記更なる情報は、前記特定のコンテンツ・アイテムの所有者を示す個人識別子、及び／又は前記メディア・コンテンツ・アイテムをレンダリングするのに用いるレンダリング装置の特性を備えることを特徴とする方法。
【請求項１０】
請求項7乃至9に記載の方法であって、前記装置が、ユニバーサル・プラグ・アンド・プレイ（UPnP）技術仕様によるメディア・サーバ装置であることを特徴とする方法。
【請求項１１】
請求項7乃至10に記載の方法であって、前記データ構造が、ユニバーサル・プラグ・アンド・プレイ（UPnP）技術仕様によるコンテンツ・ディレクトリ・サービス（CDS）によって実施されることを特徴とする方法。
【請求項１２】
請求項11記載の方法であって、前記第１の表現及び前記第２の表現は、
同じコンテンツ・ディレクトリ・サービス・オブジェクト又は
２つの別々のディレクトリ・サービス・オブジェクトにおいて実施されることを特徴とする方法。
【請求項１３】
システムであって、請求項1乃至６に記載の装置と、メディア・レンダリング装置（MR）又はメディア・サーバ（MS）とを備えることを特徴とするシステム。
【請求項１４】
コンピュータ判読可能媒体であって、請求項７乃至１２のうちの何れか一項に記載の方法を1つ又は複数の処理装置に実行させる命令を記憶させたことを特徴とするコンピュータ判読可能媒体。
【発明の詳細な説明】
【技術分野】
【０００１】
本発明はコンテンツ・メディア方法に関する。本発明はコンテンツ・メディア装置に更に関する。更に、本発明は、本発明による方法を1つ又は複数の処理装置に実行させる命令を記憶させたコンピュータ判読可能媒体に関する。
【背景技術】
【０００２】
コンテンツ配布技術（すなわち、インターネット及び取り外し可能媒体）における最近の進展によって、以前よりもコンテンツ交換がずっと容易になっている。消費者によるすばやい採用は、前述の技術が実際に消費者のニーズに対応していることを示している。コンテンツ・プロバイダは、ディジタル形式で配布されるコンテンツ／コンテンツ・アイテムの著作権の保護を欲している。よって、近年、コンテンツ保護システムの数は急速に増えている。前述のシステムの一部は、コンテンツ・アイテムを不正コピーから保護するだけである一方、他のものはユーザがコンテンツ・アイテムをアクセスすることの禁止も行うものである。第１のカテゴリは、コピー保護（CP)システムと呼ばれている。CPシステムは伝統的に消費者向電子（CE）機器の主たる焦点となっているが、それはこのタイプのコンテンツ保護が、低いコストで実施されるものと考えられており、コンテンツ・プロバイダとの双方向の相互作用を必要としないからである。例の一部として、コンテンツ・スクランブリング・システム（CSS）、すなわち、DVD  ROMディスクの保護システム及びDTCPの保護システム（IEEE1394接続の保護システム）がある。
【０００３】
第２のカテゴリは、いくつかの名前で知られている。放送の世界では、このカテゴリのシステムは、限定アクセス（CA）システムとして一般に知られている一方、インターネットの世界では、ディジタル権利管理（DRM）システムとして一般に知られている。
【０００４】
ホーム・ネットワークは、特定の種類のネットワーク技術（例えば、イーサネット（登録商標）、IEEE1394、ブルートゥース、802.11b、802.11g等）を用いて相互接続される装置群として定義することが可能である。ネットワーク技術は別々の装置が通信することを可能にするが、これは装置が相互運用することを可能にするには十分でない。このことを行うことができるために、装置は、ネットワーク内の他の装置に存在している機能を発見し、アドレス指定することができることを必要とする。前述の相互運用性は、ホーム・ネットワーキング・ミドルウェアによって備えられる。ホーム・ネットワーキング・ミドルウェアの例には、ジニ（Jini）、ハビ(HAVi)、UPnP（ユニバーサル・プラグ・アンド・プレイ）、AVCがある。
【０００５】
認可されたドメイン（AD）（１つのタイプのDRMシステムである）の概念は、（自らの著作権の保護を欲する）コンテンツ所有者の利害及び（コンテンツ・アイテムの無制限使用を欲する）コンテンツ消費者の利害にかなう解決策を見出すことを目的とする。基本的な原理は、認可されたドメインの境界を越えない限り比較的自由にコンテンツを用いることができる制御されたネットワーク環境を有するということである。通常、認可されたドメインは、ホーム・ネットワークとしても表す家庭内環境を中心としている。当然、他のシナリオも考えられる。ユーザは例えば、限定量のコンテンツを備えた、オーディオ及び／ビデオ用携帯型装置を旅行に持って行き、ホテルの部屋でそれを使用して、自宅にある自分のパーソナル・オーディオ・システム及び／又はパーソナル・ビデオ・システムに記憶された更なるコンテンツをアクセス又はダウンロードすることが可能である。携帯型装置は、ホーム・ネットワークの外にあっても、ユーザの認可されたドメインの一部である。このようにして、（装置ベースの）認可されたドメイン（AD）は、ドメイン内の装置による、コンテンツへのアクセスを可能にするが、何れかの他の装置による、コンテンツへのアクセスを可能にしないシステムである。個人ベースであり、ハイブリッドな解決策である認可されたドメインも存在する。
【０００６】
認可されたドメイン等の使用をより広範囲に紹介したものについては、西暦2002年9月12日乃至16日開催の、S.A.F.A.van  den  Heuvel、W.Jonker、F.L.A.J.Kamperman、P.J.LenoirによるSecure  Content  Management  in  Authorised  Domains、Philips  Research、The  Netherlands、IBC  2002会議刊行物、467-474頁を参照のこと。
【０００７】
ADの、先行技術の実施例及び変形例はいくつか存在している。認可されたドメインのアーキテクチャ及び実施形態の選択肢に関する更なる情報に関しては、同一出願人によるものであり、かつ内容を本明細書及び特許請求の範囲に援用する欧州特許出願第01204668.6号（代理人整理番号PHNL010880）、又は、やはり、同一出願人によるものであり、かつ内容を本明細書及び特許請求の範囲に援用する欧州特許出願第02076998.0号（代理人整理番号PHNL020455）を参照のこと。欧州特許出願第02076998.0号（代理人整理番号PHNL020455）は特に、コンテンツ及び装置がドメインに結合された実施形態を記載している。更に、同一出願人による欧州特許出願第02079390.7号（代理人整理番号PHNL021063）は、コンテンツが個人に結合され、個人が更にドメインにグループ化される実施形態を記載している。
【０００８】
更に、ハイブリッドな装置であり、個人ベースの認可されたドメイン（AD）が、同一出願人によるものであり、かつ内容を本明細書及び特許請求の範囲に援用する欧州特許出願第03102281.7号（代理人整理番号PHNL030926）に開示されている。
【０００９】
認可されたドメインDRMシステムは通常、非常に一般的な１つの特性を有する。すなわち、特定のコンテンツに対する権利は通常、コンテンツがアクセスされる装置及び装置の状態に応じて変わってくる。例として、これは、装置のタイプ、装置が配置されている場所（すなわち、ADの中か、又は外）、装置の接続先、自らが装置に認証したユーザ等によって変わってくるものであり得る。ドメインの外にある装置上でコンテンツがアクセスされる場合（通常、コンテンツ・アイテムの複製を必要とする）よりも、ドメインの中にある装置上でコンテンツがアクセスされる場合のほうが通常、多くの権利が付与される。ドメイン内の装置上で付与される権利の例には、例えば、複製、（ドメイン内の）他の装置への配布、いくつかのユーザ及び／又は同様な者用のアクセスがある。ドメインの外にある装置上で付与される権利の例として、例えば、(限定された)アクセス／レンダリング／ビューのみ（すなわち、複製なし）、特定のユーザのみ用のアクセス、他の装置への配布無し、及び／又は同様なものがある。
【００１０】
UPnP（例えば、www.UPnP.orgを参照のこと）は、DRM保護コンテンツのサポートを追加している。特定のコンテンツ・アイテムを保護するDRMシステムの識別は、CDS（コンテンツ・ディレクトリ・サービス）メタデータ・オブジェクトにおけるコンテンツ・アイテムの記述の一部になるDRM識別子を用いて行われる。CDSオブジェクトにおける更なるメタデータは、特定のコンテンツ・アイテムの関連権利を示す。CDSオブジェクトは、例えば、アーチスト名、ファイルの物理的な場所等のようなメタデータを、利用可能な権利に加えて備えることもできる。更なる詳細については、例えば、www.UPnP.orgや、図１及び図２の説明を参照のこと。
【００１１】
しかし、UPnP環境における認可されたドメイン（AD）コンテンツ制限を表すうえで単純かつ効率的なやり方は現在、何ら存在していない。
【００１２】
更に、特定のコンテンツ・アイテムが属する特定の認可されたドメイン（AD）を簡単に識別することを可能にする単純な実施形態に対するニーズが存在している。好ましくは、この単純な実施形態は、認可されたドメインをサポートしないUPnP環境に対する変更を何ら必要としないはずである。
【００１３】
更に、DRMシステムのコンテンツ・アイテムに関する更なる情報（状態情報等）の簡単な実施形態（メディア・コンテンツ・システム／方法が、コンテンツ・アイテムに関する特定の権利がDRMコンテンツの状態又は状況によって変わってくることがあり得る場合の特定のコンテンツ・アイテムへの（関連権利を用いた）アクセスに関する最適な、又は柔軟性が最も高い選択肢を提供することが可能である）に対するニーズが存在している。状態は、例えば、コンテンツ・アイテムの所有者に指定される個人、コンテンツ・アイテムが記憶された装置、コンテンツ・アイテムのレンダリングに用いる装置等であり得る。
【００１４】
更に、特定の時点で利用可能な特定の権利のユーザへの提示が、ADシステムの詳細を制御装置が知っている必要なく、ADやその他の局面を考慮に入れてイネーブルされる。
【発明の開示】
【発明が解決しようとする課題】
【００１５】
本発明の目的は、従来技術の前述の欠点、並びに他のものを解決するコンテンツ・メディア装置（及び対応するコンテンツ・メディア方法）を提供することである。更なる目的は、単純で、柔軟性があり、かつ効率的なやり方で提供することである。
【課題を解決するための手段】
【００１６】
これらの目的はとりわけ、いくつかのメディア・コンテンツ・アイテムを表すコンテンツ・リストを備えたデータ構造を備えるコンテンツ・リストを供給する装置（及び対応する方法）によって達成される。メディア・コンテンツ・アイテムは、メディア・コンテンツ・アイテムを保護する特定のディジタル権利管理システム（DRM）にメディア・コンテンツ・アイテムが属する場合に第１の表現及び第２の表現（、並びに更なる表現）によって2度表され、第１の表現は、メディア・コンテンツ・アイテムを保護するディジタル権利管理システム（DRM）のタイプの識別子を備え、第２の表現（及び更なる表現）は、第１の表現、及び識別情報に関する更なる情報、並びに／又はメディア・コンテンツ・アイテムが属する特定のディジタル権利管理システム（DRM）の状態を備える。
【００１７】
このようにして、DRMコンテンツの状態又は状況によってコンテンツ・アイテムに関する特定の権利が変わってくることがあり得る場合の特定のコンテンツ・アイテムへのアクセスの処理が得られる。これに関する情報を第２の（又は更なる）表現（以降、第２の表現としてのみ表す）において実施することができるからである。更に、アウェア(aware)制御点及びアンアウェア(unaware)（アウェア制御点／アンアウェア制御点の定義については、以下を参照のこと）によってできる限り最適に処理することが可能な単一の実施形態（少なくとも２つの表現を備える）を提供することも考えられる。メディア・コンテンツ・アイテムが属する、特定のDRMシステムを知らない制御点（すなわち、アンアウェア制御点）は、レンダリング装置がサポートするDRMシステム（及び関連状態）をレンダリング装置から検出し、特定の状況にあてはまる組み合わせをユーザに提示することが可能である。これによって、メディア・コンテンツの「ソース」が種々の選択肢を示し、あてはまる選択肢を「シンク」が示すことが可能になる。アンアウェア制御点は第１の表現及び第２の表現が、同じDRMシステムの別々の表現を表すことを検出することが可能でないので、複数のエントリがユーザに提示される。アウェア制御点は、別々のエントリ（すなわち、第１の表現及び第２の表現によって表される）が同じDRMシステムに相当することを検出することが可能である。それによって、最適なケースがユーザに提示され得る。
【００１８】
好ましい実施例では、第１の表現は、コンテンツを保護するDRMのタイプを示すDRM識別子を用いて行われ、第２の表現は、第１の表現に等しいDRM識別子を用いて、かつ、更に、特定のコンテンツ・アイテムがリンクされた、又は属する特定の認可されたドメイン（AD）を示すドメイン識別子を用いて行われる。
【００１９】
別の実施例では（例えば、ハイブリッドの、又は個人ベースのADシステムの場合）、第２の表現は、第１の表現に等しいDRM識別子を用いた更なる表現を用いて、かつ、更に、特定のコンテンツ・アイテムの所有者を示す個人識別子を用いて行われる。
【００２０】
更に別の実施例では（例えば、権利が装置特性に基づいたDRMシステムの場合）、第２の表現は、第１の表現に等しいDRM識別子を用いて、かつ、更に、レンダリング装置の装置特性を用いて行われる。
【００２１】
装置特性の例には、例えば、セキュアな時間の利用可能性（すなわち、アプリケーション／ユーザによるタンパリングが可能でない経過時間）、ディジタル出力、記憶能力、装置、又は装置の一部のセキュリティ・レベル等がある。
【００２２】
更に、一部の実施形態／実施例では、上記３つの例の組み合わせを用いることができる（例えば、第１の表現に加えて、特定のコンテンツ・アイテムの所有者を示す個人識別子や、レンダリング装置の装置特性等を備えた第２の表現）。
【００２３】
本発明による方法の効果的な実施例は、従属請求項に記載しており、以下に詳細に説明する。方法の実施例は、装置の実施例に対応しており、同じ理由で同じ利点を有している。
【００２４】
更に、本発明は、本発明による方法を1つ又は複数の処理装置に実行させる命令を記憶させたコンピュータ判読可能媒体にも関する。
【発明を実施するための最良の形態】
【００２５】
本発明の前述及びその他の局面は、添付図面に示す例証的な実施例から明らかであり、そうした実施例を参照しながら明らかになるであろう。
【００２６】
添付図面を通して、同じ参照番号は、同様な、又は対応する特徴を示す。添付図面に示す特徴の一部は通常、ソフトウェアで実施され、そういうものとして、ソフトウェア・エンティティ（ソフトウェア・モジュールやオブジェクトなど）を表す。
【実施例】
【００２７】
図１は、制御点装置（CP）と、CDSを実施するメディア・サーバ装置（MS）と、メディア・レンダリング装置（MR）とを略示する。図示されているのは、適切な処理を制御する制御点装置／サービス（CP）（３１０）（以降、装置としてのみ表す）、コンテンツ・ディレクトリ・サービス（CDS）（５００）（図４も参照のこと）を実施するメディア・サーバ装置／サービス（MS）（３１１）（以降、装置としてのみ表す）、及びメディア・レンダリング装置／サービス（MR）（３１２）（以降、装置としてのみ表す）（コンテンツを、UPnP及び本発明によって処理し、レンダリングするものとする）である。前述の別々の３つの装置は例として、ホーム・ネットワークを構成し得るが、ホーム・ネットワークは更なる装置（例えば、いくつかのメディア・レンダリング装置、いくつかのメディア・サーバ等）を備え得る。別の例として、制御点（３１０）の機能を、その目的のみのための専用装置にではなくメディア・サーバ装置（MS）又はメディア・レンダリング装置（MR）に備え得る。
【００２８】
ホーム・ネットワークは、1つ又は複数のスタンドアロン型ユーザ・インタフェース（UI）装置（図示せず）（例えば、リモコン、（無線）PDAやタブレット型PC等）も備え得る。通常、UI装置は、制御点装置と通信するか、又は、より多くの場合、統合点装置と一体化されている。あるいは、UI装置は、メディア・レンダリング装置及び／又はメディア・サーバ装置にも一体化され得る。
【００２９】
UPnPによれば、制御点（CP）（以下を参照のこと）が、ホーム・ネットワーク内のメディア・サーバ装置上で発見されるコンテンツ・アイテム（例えば、ビデオ、音楽、画像等）をレンダリングする（すなわち、ホーム・ネットワーク内に物理的に存在しているか、又はホーム・ネットワークによって到達可能な特定のコンテンツ・アイテムをレンダリングする）ことを可能にするよう、メディア・レンダリング装置（MR）（３１２）を1つ又は複数のメディア・サーバ装置（MS）（以下を参照のこと）とともに用いる。メディア・レンダリング装置は、ネットワークからのオーディオ・コンテンツ・アイテム及び／若しくはビデオ・コンテンツ・アイテム並びに／又はその他のコンテンツ・アイテムをレンダリングする機能を備える装置である。説明するように、コンテンツ・アイテムは、特定のレンダリング装置上に必ずしも存在していなくてよい。
【００３０】
メディア・レンダリング装置は、特定のコンテンツがレンダリングされるやり方を制御点が制御することが可能であるように適切なレンダリング制御組も備える。これは例えば、明るさ、コントラスト、音量、停止、再生、中断、高速順送り等などの機能の制御を有する。
【００３１】
メディア・レンダリング装置の例として、TV、ステレオ／サラウンド・システムのような伝統的な装置、及びMP3プレイヤ、セットトップ・ボックス、PVR、CD／DVDプレイヤ、PC、PDA、電子ピクチャ・フレーム（EPF）、ハードディスク・ベースのVCR等などがある。
【００３２】
UPnPによれば、メディア・サーバ装置（MS）（３１１）は、ホーム・ネットワーク上の他の（制御点の）装置にメディア・コンテンツを提示する装置である。これは、コンテンツ・ディレクトリ・サービス（CDS）を介してコンテンツを示し、好ましくは、ホーム・ネットワークに適切な何れかの特定のタイプのメディア、何れかのデータ形式、及び何れかの転送プロトコルを扱うことが可能である。コンテンツは、メディア・サーバ装置上、又はネットワーク内若しくはネットワーク外の他の装置上に（例えば、ネットワーク（インターネット等）を介してアクセス可能な外部コンテンツとして）記憶することができる。
【００３３】
メディア・サーバ（MS）は、１つ又は複数のメディア・レンダリング装置とともに用いられ、制御点がメディア・サーバ装置上のコンテンツを発見し、ホーム・ネットワーク内の何れかの適切なメディア・レンダリング装置上のそのコンテンツをレンダリングすることを可能にする。
【００３４】
メディア・サーバ装置（一部はレンダリング装置としても機能することが可能であるか、又は実際に機能する）の例として、例えば、伝統的な装置（（ハードディスク・ベースの）VCR、CD／DVDプレイヤ、オーディオテープ・プレイヤ、静止画カメラ、カムコーダ、ラジオ受信機、TVチューナ、セットトップ・ボックス等など）、並びに、より新しい装置（MP3サーバ、PVR、ホーム・メディア・サーバ（例えば、MPEG２ビデオ、CDオーディオ、MP3オーディオ及び／又はWMAオーディオ、JPEG画像等のような広範囲にわたるコンテンツを備えるPCのような）等）がある。
【００３５】
メディア・サーバは通常、ホーム・ネットワークのコンテンツのホーム・オーナ／ホーム・ユーザのかなりの部分を有する。
【００３６】
前述のメディア・サーバ装置及びレンダリング装置は通常、１つの形式又は別の形式で種々のコンテンツ形式（形式は、装置間で重なっているか、異なっているか、及び／又は同じであり得る）をサポートする。CDSを用い、実施することによって、メディア・サーバ上に記憶されたコンテンツは、一様であり、かつ一貫性があるようにホーム・ネットワークに露呈される。
【００３７】
メディア・サーバ装置において実施されるCDSは、いくつかのCDSオブジェクト又はCDSアイテム（図示せず。例えば、図２、図3a及び図3bを参照のこと）を提示する。単一のCDSオブジェクト又はCDSアイテム（以降、オブジェクトとしてのみ表す）は通常、コンテンツ・アイテム毎又はコンテンツ・ディレクトリ毎に存在している。CDSオブジェクトは、図２に関して、かつ図３a及び図3bに関して本発明によって更に詳細に説明するように、特定のコンテンツ・アイテムに関する適切な情報を記述したメタデータを更に備える。
【００３８】
要約すれば、CDSは、制御点を実施する装置が、ホーム・ネットワーク内のコンテンツをブラウジングし、サーチし、個々のコンテンツ・オブジェクトについての詳細情報を得ることを可能にする一様な機構を提供する。
【００３９】
更に、CDSは、クライアント（例えば、UI装置）が、メディア・サーバが供給することができる個々のコンテンツ・アイテムを位置特定し、場合によっては記憶することを可能にするルックアップ／記憶装置を備える。形式（例えば、MP3、MPEG２、JPEG等）が異なるコンテンツ・アイテムを備える装置の種類の場合、単一のCDSオブジェクトを用いて、そのタイプに係わらずコンテンツ・アイテム全てを常に把握することが可能である。
【００４０】
更に、CDSによって参照されるコンテンツ・アイテム毎に、適切なCDSオブジェクトは、適切なメディア・レンダリング装置にコンテンツを転送するのにメディア・サーバ装置が用いることが可能な転送プロトコル及びファイル形式についての情報も備える。これは、コンテンツ、及びこのコンテンツを用いる際にユーザが期待することが可能な権利を保護するDRMシステムに関する情報を有する。
【００４１】
UPnPによれば、制御点装置（CP）（３１０）は、メディア・サーバ装置と、1つ又は複数のメディア・レンダリング装置との間の相互作用を扱う処理を、ホーム・ネットワーク内のコンテンツをそれらのうちの１つでレンダリングする場合に制御する装置である。特定のコンテンツ・アイテムのレンダリングが開始された後、制御点装置は、通常、UI装置からの入力を用いてコンテンツのフロー制御（例えば、再生、中断、停止、シーク等）を行う。レンダリング装置へのコンテンツ・アイテムの実際の転送は、制御点装置によって設定されるが、制御点装置ではなく、代わりにメディア・サーバ装置によって行われる。
【００４２】
以下では、制御点装置、メディア・サーバ装置及びレンダリング装置に関係する特定のコンテンツ・アイテムを取得し、レンダリングする処理を表す。
【００４３】
制御点装置は、メディア・サーバのCDSを用いて、レンダリングする対象のコンテンツ・アイテムを位置特定する。所望のコンテンツが識別された後、制御点は、メディア・サーバからメディア・レンダリング装置にコンテンツを転送するのに用いるべき転送プロトコル及びデータ形式を判定する必要がある。転送プロトコルの例としては例えば、IEEEべ―スの1394、HTTP、GET、RTSP／RTP等がある。データ形式の例としては例えば、画像／jpeg、画像／gif、オーディオ／mpeg、ビデオ／mpeg、ビデオ／MP4V-ES等がある（例えば、http://www.isi.edu/in-notes/iana/assignments/media-types/media-typesを参照のこと）。制御点は、コンテンツのプロトコル／形式情報（メディア・サーバのCDSを介して得られる）を、メディア・レンダリング装置から得られるプロトコル／形式情報と比較することによってこの判定を下す。
【００４４】
転送プロトコル及びデータ形式が識別された後、制御点は、特定されたプロトコル／形式がもうすぐ用いられようとしている旨を各装置に通知する。選択された転送プロトコル・タイプによって、メディア・レンダリング装置又はメディア・サーバ装置は、インスタンスIDを制御点装置に戻す。このインスタンスIDは、制御点によってコンテンツのフロー制御（例えば、再生、中断、停止、シーク等）に用いられる。一部のタイプの転送プロトコルの場合（例えば、HTTP  GETのみをサポートする装置の場合）、それは、制御点が何れの装置からもインスタンスIDを得ることができないという状況であり得る。これが起きると、制御点は、違ったふうに取り扱うことが可能な、0（ゼロ）のインスタンスを用いる。
【００４５】
既に述べたように、前述のホーム・ネットワークにおけるコンテンツ・アイテムは、DRMシステム、及び／又は認可されたドメイン（AD）のDRMシステムによって保護することができる。
【００４６】
しかし、UPnP環境内の認可されたドメイン（AD）コンテンツを表すうえで単純かつ効率的なやり方は現在、何ら存在していない。
【００４７】
更に、特定のコンテンツ・アイテムが属する特定の認可されたドメイン（AD）を簡単に識別することを可能にする単純な実施形態に対するニーズが存在している。更に、この単純な実施形態は好ましくは、認可されたドメインをサポートしないUPnP環境に対する変更を何ら必要としないことを要する。
【００４８】
本発明によれば、認可されたドメイン（AD）のDRMシステムによって保護されるコンテンツ・アイテムは、第１の表現及び第２の表現によって2度、表される。種々の実施例について、図3a及び図3b、並びに関連した説明を参照のこと。
【００４９】
第１の表現は、コンテンツを保護するDRMタイプを示すDRM識別子を用いて行われる。これは、図２によって行われるものと同様である。
【００５０】
第２の表現は、第１の表現に等しいDRM識別子を用いて、かつ、更に、特定のコンテンツ・アイテムがリンクされているか、属している特定の認可されたドメイン（AD）（図3a及び図3bを参照のこと）を示すドメイン識別子を用いて行われる。
【００５１】
別の実施例では（例えば、ハイブリッドの、又は個人ベースのADシステムの場合）、第２の表現は、第１の表現に等しいDRM識別子を用いた更なる表現を用いて、かつ、更に、特定のコンテンツ・アイテムの所有者を示す個人識別子を用いて行われる。
【００５２】
別の実施例では（例えば、権利が装置特性に基づいたDRMシステムの場合）、第２の表現は、第１の表現に等しいDRM識別子を用いて、かつ、更に、レンダリング装置の装置特性を用いて行われる。
【００５３】
装置特性の例には、例えば、セキュアな時間の利用可能性（すなわち、アプリケーション／ユーザによるタンパリングが可能でない経過時間）、ディジタル出力、記憶能力、装置、又は装置の一部のセキュリティ・レベル等がある。
【００５４】
更に、一部の実施形態／実施例では、上記３つの例の組み合わせを用いることができる（例えば、第１の表現に加えて、特定のコンテンツ・アイテムの所有者を示す個人識別子や、レンダリング装置の装置特性等を備えた第２の表現）。
【００５５】
好ましくは、第１の表現及び第２の表現は列として実施される。
【００５６】
更に、各表現は、そのDRM識別子によってコンテンツが用いられる際に有することをユーザが期待することが可能な権利（情報を与えてくれる）を示す。
【００５７】
このようにして、認可されたドメイン／DRMアウェア制御点（すなわち、本発明による、認可されたドメインの適切な識別及び処理を可能にする機能を実施する制御点）は、特定のコンテンツ・アイテムの第１の表現及び第２の表現をみることが可能であり、単一のDRMシステムの種々の局面を表していることを非常に単純に推定することができる。上記制御点は、DRM識別子を、認可されたドメインの識別子として認識し、かつ、他方の部分（すなわち、第２の表現）が、特定の認可されたドメイン（すなわち、特定のコンテンツ・オブジェクトが一部として備えられている特定の認可されたドメイン（AD））の識別子を表すことが分かっている。これによって、システムが、最適な、利用可能な権利（、又は利用可能な権利の和）を用いてUIにおける単一のエントリによってコンテンツを提示することが可能になる。
【００５８】
認可されたドメイン／DRMアンアウェア制御点（すなわち、認可されたドメインの適切な識別及び／又は処理を可能にする機能を実施しない制御点）は、第１の表現及び第２の表現をみるが、それらの表現が異なり、ADアンアウェア制御点は第２の表現の内部の構造／形式が分からないので、２つの別々のDRMシステムによってコンテンツが保護されることしか導き出すことが可能でない。しかし、本明細書及び特許請求の範囲に記載の本発明が分からない場合にも、上記システムは、同じDRM識別子を提示する装置上でコンテンツがアクセスされる際に最も入手可能性が高い権利をなお判定することができることになる。
【００５９】
DRM情報、すなわち、第１の表現及び第２の表現は、前述のようにコンテンツ・アイテムの転送に用いるべき転送プロトコルを制御点が判定する際の手順の一部として制御点に供給することができる。あるいは、メディア・レンダリング装置への専用コールを用いて制御点に供給することができる。
【００６０】
メディア・サーバ装置及びメディア・レンダリング装置が同じプロトコルをサポートするか否かを判定するうえで標準的なやり方は、（*をワイルドカードとして用いて）列を比較することである。それによって、第１の表現及び第２の表現も供給される（転送プロトコルを判定する手順の一部の場合）。
【００６１】
同じDRMシステムの複数の表現の場合、制御点は、利点が最も多いDRM表現を選ぶことが可能である。
【００６２】
この意味合いでのDRMシステムの場合、２つの可能性が存在している。いずれにせよ、特定のメディア・レンダリング装置及びメディア・サーバ装置は、同じADの一部であるか、又は別々のADの一部である。装置が、別々のドメインの一部である場合、第１のDRM示標（すなわち、第１の表現）のみが一致することになる。装置が、同じドメインの一部である場合、第１のDRM示標及び第２のDRM示標（すなわち、第１の表現及び第２の表現）が一致することになる。更に、制御点は、第２の表現によって示される権利が、これらの２つの装置間の通信にあてはまることが分かることになる。
【００６３】
これは、コンテンツが通常、自由に、又は少なくともAD内ではより自由に再生及び／又は複製を行うことが可能である一方、権利はドメイン間でずっと限定的であるというADの特性による。
【００６４】
UPnPを参照しているが、添付図面全てとともに説明している本発明及びその実施例は、DRMシステムが関係している非UPnPシステム（他のミドルウェア及び／又はウェブ・システムのような）にも同様に適用可能である。
【００６５】
図２は、従来技術による、CDSオブジェクトと、少なくとも１つのDRMシステムと、特定のコンテンツ・アイテムとの間の関係を略示する。図示しているのは、例えば、UPnP技術仕様による、1つ又は複数のDRMシステム（３００）、CDSオブジェクト（２００）及び特定のコンテンツ・アイテム（C）（１００）である。通常、１つのCDSオブジェクト（２００）が特定のホーム・ネットワーク又は他のタイプのネットワークにおけるコンテンツ・アイテム（C）毎に存在しており、CDS（図示せず）は通常、いくつかのCDSオブジェクト（２００）を備える。
【００６６】
特定のコンテンツ・アイテム（１００）を保護するタイプ又は種類のDRMシステム（３００）の識別は、図１上の線によって示すようなDRM識別子（DRM  id）を用いて行われる。DRM識別子は、CDS（コンテンツ・ディレクトリ・サービス）メタデータ・オブジェクト（２００）における特定のコンテンツ・アイテム（１００）の記述の一部である。CDSオブジェクト（２００）における更なるメタデータは、特定コンテンツ・アイテム（１００）の関連権利（Assoc.  Right）を示す、又は特定することができる。特定のコンテンツ・アイテムに関連した権利は例えば、コピー・ワンス、5度のみレンダリング、欧州市場のみ等であり得る。
【００６７】
ＣＤＳオブジェクト（２００）は、例えば、利用可能な権利に加えて、アーチスト名、ファイルの物理的場所等のような更なるメタデータ（Add.MetaDat.）も備えることができる。
【００６８】
このようにして、特定のコンテンツ・アイテムのCDSオブジェクトを用いて、例えば、更なる情報とともに関連権利を特定する一方でこれを保護するDRMシステムのタイプを表す。いくつかのCDSオブジェクトを備えるCDSはよって、コンテンツ・リストとして機能する。
【００６９】
図3aは、本発明の一実施例による、CDSオブジェクトと、少なくとも１つのDRMシステムと、特定のコンテンツ・アイテムとの間の関係を略示する。図示しているのは、本発明による、1つ又は複数のDRMシステム（３００）、CDSオブジェクト（２００）、及び特定のコンテンツ・アイテム（C）（１００）である。図3aの実施例は、以下に説明する例外を除けば、図２のうちの１つに相当する。
【００７０】
本発明によれば、DRMシステム（例えば、認可されたドメイン（AD）のDRMシステム）によって保護されるコンテンツ・アイテムは2度表される。この実施例では、コンテンツ・アイテムは同じCDSオブジェクト（２００）において2度表される。１つのCDSオブジェクトにおいてDRM表現全てをグループ化することによって、空間が節減され、制御点は、同じコンテンツの別々の表現を提示しており、このことを反映するようそのUIを最適化することが可能であることが分かる。
【００７１】
あるいは、図３ｂに関して説明するように、２つの別々のCDSオブジェクトにおいて表すことができる。
【００７２】
第１の表現は、コンテンツを保護するDRMタイプを示すDRM識別子（DRM  id）を用いて行われる。これは、図２によって行われるものと同様である。
【００７３】
第２の表現は、第１の表現に等しいDRM識別子（DRM  id）、及び、更に、特定のコンテンツ・アイテムがリンクされているか、属している特定の認可されたドメイン（AD）（４００）を示すドメイン識別子（Dom.ID）を備える。
【００７４】
前述の第１の表現の特定例として、例えば、
DRM  id、                com.Philips.drm.AdDrmがある。
【００７５】
前述の第２の表現の特定例として例えば、
DRM  id+Dom.ID、        com.Philips.drm.AdDrm（ドメイン786487321）がある。
【００７６】
前述の通り、第２の表現は、特定のコンテンツ・アイテムの所有者を示す個人識別子、及び／又はレンダリング装置の装置特性等も備えることができる。
【００７７】
図3bは、本発明の別の実施例による、CDSオブジェクト、少なくとも１つのDRMシステム、及び特定のコンテンツ・アイテムを略示する。この実施例は、第１の表現及び第２の表現が単一のCDSオブジェクト（２００）に埋め込まれている（図3aの場合と同様に）代わりに、第１の表現が１つのCDSオブジェクト（２００）に埋め込まれており、第２の表現が別のCDSオブジェクト（200’）に埋め込まれているという例外を除けば、図3aに示すものに相当する。
【００７８】
図４は、それによってCDS（５００）がコンテンツ・リストとして機能するいくつかのCDSメタデータ・オブジェクト（２００）を備えるCDS（５００）を示す。
【００７９】
図５は、制御点装置（CP）あるいはメディア・サーバ装置（MS）あるいはメディア・レンダリング装置（MR）の実施例の略示構成図を示す。図示しているのは、本発明による、メモリ（６０４）、情報、データ等の記憶及び通信をそれぞれ行う記憶装置（６０５）及び送受信器（６０３）とバス又は同様なデータ通信構造（６０２）を介して接続される、本発明に関して説明されたような機能を実施する１つ又は複数の専用及び／若しくは汎用のマイクロプロセッサ（６０１）を備える制御点装置（CP）あるいはメディア・サーバ装置（MS）あるいはメディア・レンダリング装置（MR）である。
【００８０】
特許請求の範囲では、括弧内にある参照符号は何れも、本特許請求の範囲を限定するものとして解釈されないものとする。「comprising」という語は、特許請求の範囲記載の構成要素又は工程以外の構成要素又は工程が存在することを排除するものでない。構成要素に語「a」又は「an」が先行していることは、前述の構成要素が複数存在することを排除するものでない。
【００８１】
本発明は、別個のいくつかの構成要素を備えるハードウェアによって、かつ、適切にプログラムされるコンピュータによって実施することが可能である。いくつかの手段を列挙した装置クレームでは、これらの手段のいくつかを、同一のハードウェア・アイテムによって実施することが可能である。単に特定の方策が互いに別々の従属請求項に記載されていることは、こうした方策の組み合わせを利用することができないことを示すものでない。
【図面の簡単な説明】
【００８２】
【図１】制御点装置（CP）と、CDSを実施するメディア・サーバ装置（MS）と、メディア・レンダリング装置（MR）とを略示する図である。
【図２】従来技術による、CDSオブジェクトと、少なくとも１つのDRMシステムと、特定のコンテンツ・アイテムとの間の関係を略示する図である。
【図３ａ】本発明の一実施例による、CDSオブジェクトと、少なくとも１つのDRMシステムと、特定のコンテンツ・アイテムとの間の関係を略示する図である。
【図３ｂ】本発明の別の実施例による、CDSオブジェクトと、少なくとも１つのDRMシステムと、特定のコンテンツ・アイテムとの間の関係を略示する図である。
【図４】いくつかのCDSメタデータ・オブジェクトを備えたCDSを示す図である。
【図５】制御点装置（CP）、メディア・サーバ装置（MS）又はメディア・レンダリング装置（MR）を略示する構成図である。
【図１】
2008503825.tif 000003
【図２】
2008503825.tif 000004
【図３ａ】
2008503825.tif 000005
【図３ｂ】
2008503825.tif 000006
【図４】
2008503825.tif 000007
【図５】
2008503825.tif 000008
【手続補正書】
【提出日】平成18年12月25日(2006.12.25)
【手続補正１】
【補正対象書類名】特許請求の範囲
【補正対象項目名】全文
【補正方法】変更
【補正の内容】
【特許請求の範囲】
【請求項１】
データ構造を備えたコンテンツ・リストを供給する装置であって、
いくつかのメディア・コンテンツ・アイテムを表すコンテンツ・リストを備えており、
メディア・コンテンツ・アイテムは、前記メディア・コンテンツ・アイテムがディジタル権利管理システムによって保護されている場合に前記コンテンツ・リストにおいて第１の表現及び第２の表現によって同時に表され、
前記第１の表現は、前記ディジタル権利管理システム（DRM）のタイプの識別子を備え、
前記第２の表現は、前記第１の表現、及び識別情報に関する更なる情報、並びに／又は
特定のディジタル権利管理システムの状態を備えることを特徴とする装置。
【請求項２】
請求項１記載の装置であって、前記特定のディジタル権利管理システムは認可されたドメインであり、前記更なる情報は、前記認可されたドメインを一意に識別する識別子を備えることを特徴とする装置。
【請求項３】
請求項１記載の装置であって、前記更なる情報は、前記特定のコンテンツ・アイテムの所有者を示す個人識別子、及び／又は前記メディア・コンテンツ・アイテムをレンダリングするのに用いるレンダリング装置の装置特性を備えることを特徴とする装置。
【請求項４】
請求項１記載の装置であって、前記装置が、ユニバーサル・プラグ・アンド・プレイ（UPnP）技術仕様によるメディア・サーバ装置であることを特徴とする装置。
【請求項５】
請求項１記載の装置であって、前記データ構造が、ユニバーサル・プラグ・アンド・プレイ（UPnP）技術仕様によるコンテンツ・ディレクトリ・サービス（CDS）によって実施されることを特徴とする装置。
【請求項６】
請求項５記載の装置であって、前記第１の表現及び前記第２の表現は、
同じコンテンツ・ディレクトリ・サービス・オブジェクト又は
２つの別々のディレクトリ・サービス・オブジェクトにおいて実施されることを特徴とする装置。
【請求項７】
データ構造を備えたコンテンツ・リストを供給する方法であって、
いくつかのメディア・コンテンツ・アイテムを表すコンテンツ・リストを備えており、
前記方法は、メディア・コンテンツ・アイテムを、特定のディジタル権利管理システム（DRM）によって前記メディア・コンテンツ・アイテムが発生する場合に第１の表現及び第２の表現によって同時に表す工程を備え、
前記第１の表現は、ディジタル権利管理システムのタイプの識別子を備え、
前記第２の表現は、前記第１の表現、及び識別情報に関する更なる情報、並びに／又は
前記特定のディジタル権利管理システムの状態を備えることを特徴とする方法。
【請求項８】
請求項7記載の方法であって、前記特定のディジタル権利管理システムは認可されたドメインであり、前記更なる情報は、前記認可されたドメインを一意に識別する識別子を備えることを特徴とする方法。
【請求項９】
請求項7記載の方法であって、前記更なる情報は、前記特定のコンテンツ・アイテムの所有者を示す個人識別子、及び／又は前記メディア・コンテンツ・アイテムをレンダリングするのに用いるレンダリング装置の特性を備えることを特徴とする方法。
【請求項１０】
請求項7記載の方法であって、前記装置が、ユニバーサル・プラグ・アンド・プレイ（UPnP）技術仕様によるメディア・サーバ装置であることを特徴とする方法。
【請求項１１】
請求項7記載の方法であって、前記データ構造が、ユニバーサル・プラグ・アンド・プレイ（UPnP）技術仕様によるコンテンツ・ディレクトリ・サービス（CDS）によって実施されることを特徴とする方法。
【請求項１２】
請求項11記載の方法であって、前記第１の表現及び前記第２の表現は、
同じコンテンツ・ディレクトリ・サービス・オブジェクト又は
２つの別々のディレクトリ・サービス・オブジェクトにおいて実施されることを特徴とする方法。
【請求項１３】
システムであって、請求項1乃至６に記載の装置と、メディア・レンダリング装置（MR）又はメディア・サーバ（MS）とを備えることを特徴とするシステム。
【請求項１４】
コンピュータ判読可能媒体であって、請求項７乃至１２のうちの何れか一項に記載の方法を1つ又は複数の処理装置に実行させる命令を記憶させたことを特徴とするコンピュータ判読可能媒体。
【国際調査報告】
2008503825.tif 000009
2008503825.tif 000010